(57)【要約】【課題】手動開閉式引き戸の開閉機能及び横揺れ緩衝機能並びに開閉操作連動機能の構造を簡素化し、さらに、各機能の性能を高めた製造効率の良い引き戸の開閉動装置及び横揺れ緩衝装置並びに複数枚引き戸開閉操作連結装置を提供する。【解決手段】開口部に設けられたガイドレールに装着された引き戸構造において、引き戸一方主面上の下端部近傍に、下側のガイドレールの外枠部分と当接し、下側のガイドレールに沿って滑走可能な複数の下側垂直ローラー２ａ、２ｂを備え、上下側のガイドレールの内部に入り込んでガイドレールの側面と当接し、ガイドレールに沿って滑走可能な複数の水平ローラー１５ａ、１５ｂ、１９ａ、１９ｂが軸着されている。ガイドレールに装着された引き戸１ａ、１ｂは、引き戸本体の一方主面上の下端部近傍の垂直ローラー２ａ、２ｂに支持され、開閉移動をするという構成となっている。【選択図】図１
2008038391.tif 000002
【特許請求の範囲】
【請求項１】
互いに平行に延びる上下のガイドレール間に装着され、当該ガイドレールに沿ってスライド可能な引き戸装置であって、
引き戸本体と、
前記引き戸本体の一方主面上の下端部近傍に回転自在に設けられ、下側のガイドレールの外枠部分と当接し、下側のガイドレールに沿って滑走可能な複数の下側垂直ローラーと、
前記引き戸本体の下端部に回転自在に設けられ、下側のガイドレールの内部に入り込んで下側のガイドレールの側面と当接し、下側のガイドレールに沿って滑走可能な複数の下側水平ローラーと、
前記引き戸本体の上端部に回転自在に設けられ、上側のガイドレールの内部に入り込んで上側のガイドレールの側面と当接し、上側のガイドレールに沿って滑走可能な複数の上側水平ローラーとを備える、引き戸装置。
【請求項２】
前記引き戸本体の一方主面上の上端部近傍に回転自在に設けられ、上側のガイドレールの外枠部分と当接し、上側のガイドレールに沿って滑走可能な複数の上側垂直ローラーをさらに備える、請求項１に記載の引き戸装置。
【請求項３】
互いに平行に延びる左右のガイドレール間に装着され、当該ガイドレールに沿ってスライド可能な引き戸装置であって、
引き戸本体と、
前記引き戸本体の一方主面上の左端部近傍に回転自在に設けられ、左側のガイドレールの外枠部分と当接し、左側のガイドレールに沿って滑走可能な複数の左側第１ローラーと、
前記引き戸本体の一方主面上の右端部近傍に回転自在に設けられ、右側のガイドレールの外枠部分と当接し、右側のガイドレールに沿って滑走可能な複数の右側第１ローラーと、
前記引き戸本体の一方主面の左端部に回転自在に設けられ、左側のガイドレールの内部に入り込んで左側のガイドレールの側面と当接し、左側のガイドレールに沿って滑走可能な複数の左側第２ローラーと、
前記引き戸本体の一方主面の右端部に回転自在に設けられ、右側のガイドレールの内部に入り込んで右側のガイドレールの側面と当接し、右側のガイドレールに沿って滑走可能な複数の右側第２ローラーとを備える、引き戸装置。
【請求項４】
前記引き戸本体を３個以上備え、
それぞれの引き戸本体が連動して動くことを特徴とする、請求項１〜３のいずれかに記載の引き戸装置。
【発明の詳細な説明】
【技術分野】
【０００１】
本発明は、引き戸装置に関し、より特定的には、互いに平行に延びるガイドレール間に装着され、当該ガイドレールに沿ってスライド可能な引き戸装置に関する。
【背景技術】
【０００２】
従来の一般的な引き戸装置は、引き戸の下端部に設けられた戸車がレール内を滑走することにより、開閉する構造となっている（例えば、実用新案文献１）。この戸車は、その一部が引き戸本体の内部に収納されるように設けられる。そのため、引き戸の下端部には、戸車を収納するための収納スペースが設けられる。
【特許文献１】実用新案登録第２５７８７０６号公報
【発明の開示】
【発明が解決しようとする課題】
【０００３】
上述したように、従来の引き戸装置では、戸車の一部が引き戸本体内に収納されているため、戸車を取り付けるために多数の製造工程を要する。そのため、引き戸装置のコストが高くなるという問題点があった。また、戸車が故障したときに修理に手間がかかるという問題点もあった。さらには、レール内に戸車が滑走するための軌道を設けなければならず、このこともコストの上昇を招いていた。
【０００４】
それ故に、本発明の目的は、安価でかつメンテナンス性が良い引き戸装置を提供することである。
【課題を解決するための手段】
【０００５】
上記のような目的を達成するために、本発明は、以下に示すような特徴を有している。
本発明の引き戸装置は、互いに平行に延びる上下のガイドレール間に装着され、当該ガイドレールに沿ってスライド可能である。本発明の引き戸装置は、引き戸本体を備えており、この引き戸本体には、下側垂直ローラーと、下側水平ローラーと、上側水平ローラーとが設けられる。下側垂直ローラーは、引き戸本体の一方主面上の下端部近傍に回転自在に設けられ、下側のガイドレールの外枠部分と当接し、下側のガイドレールに沿って滑走可能である。下側水平ローラーは、引き戸本体の下端部に回転自在に設けられ、下側のガイドレールの内部に入り込んで下側のガイドレールの側面と当接し、下側のガイドレールに沿って滑走可能である。上側水平ローラーは、引き戸本体の上端部に回転自在に設けられ、上側のガイドレールの内部に入り込んで上側のガイドレールの側面と当接し、上側のガイドレールに沿って滑走可能である。
【０００６】
好ましい実施形態では、さらに上側垂直ローラーが設けられる。この上側垂直ローラーは、引き戸本体の一方主面上の上端部近傍に回転自在に設けられ、上側のガイドレールの外枠部分と当接し、上側のガイドレールに沿って滑走可能である。
【０００７】
本発明の他の引き戸装置は、互いに平行に延びる左右のガイドレール間に装着され、当該ガイドレールに沿ってスライド可能である。この他の引き戸装置は、引き戸本体を備えており、この引き戸本体に、左側第１ローラーと、右側第１ローラーと、左側第２ローラーと、右側第２ローラーとが設けられる。左側第１ローラーは、引き戸本体の一方主面上の左端部近傍に回転自在に設けられ、左側のガイドレールの外枠部分と当接し、左側のガイドレールに沿って滑走可能である。右側第１ローラーは、引き戸本体の一方主面上の右端部近傍に回転自在に設けられ、右側のガイドレールの外枠部分と当接し、右側のガイドレールに沿って滑走可能である。左側第２ローラーは、引き戸本体の一方主面の左端部に回転自在に設けられ、左側のガイドレールの内部に入り込んで左側のガイドレールの側面と当接し、左側のガイドレールに沿って滑走可能である。右側第２ローラーは、引き戸本体の一方主面の右端部に回転自在に設けられ、右側のガイドレールの内部に入り込んで右側のガイドレールの側面と当接し、右側のガイドレールに沿って滑走可能である。
【０００８】
なお、引き戸本体を３個以上備えていてもよく、この場合にそれぞれの引き戸本体が連動して動くようすればより好ましい。
【発明の効果】
【０００９】
本発明によれば、全てのローラーが引き戸本体の表面上に取り付けられ、従来の戸車のように引き戸本体の内部に収納されていないため、引き戸の製造コスト及び製造工程を低減することができ、さらには引き戸ローラーのメンテナンス性をよくすることができる。また、本発明では、方向の異なる２組のローラーを設けたことにより、引き戸本体の横揺れを無くすことができる。従来は、引き戸本体の横揺れを無くすために、ガイドレール内に戸車案内用の軌道を設けたが、本発明では、このような軌道を設ける必要が無く、その点でもコスト上有利である。
【００１０】
また、本発明によれば、引き戸本体を垂直に立ててスライドさせることもできるし、水平に寝かしてスライドさせることもできる。さらには、引き戸本体を斜めに傾斜させてスライドさせることもできる。このように、本発明の引き戸装置は、様々な方向で使用することが可能である。
【００１１】
さらに、引き戸本体を３個以上備える場合、それぞれが連結して動くようにすることにより、使い勝手の良い引き戸装置が実現できる。
【発明を実施するための最良の形態】
【００１２】
（第１の実施形態）
図１は、第１の実施形態に係る引き戸装置の構成を示す側部断面図である。図２は、第１の実施形態に係る引き戸装置の構成を示す正面図である。図３は、第１の実施形態に係る引き戸をガイドレールに装着した状態を示す正面図である。以下、図１ないし図３を参照して、第１の実施形態について説明する。
【００１３】
図１に示すように、開口部３８には、一例として２枚の引き戸１ａおよび１ｂがスライド可能に取り付けられている。なお、引き戸の取り付け枚数は、３枚以上であっても良い。引き戸１ａおよび１ｂをスライド可能に案内するために、開口部３８の下縁部には、引き戸のスライド方向へと平行に延びる２本のガイドレール５１ａおよび５１ｂが設置されている。また、開口部３８の上縁部には、引き戸のスライド方向へと平行に延びる２本のガイドレール５２ａおよび５２ｂが設置されている。ガイドレール５１ａおよび５１ｂ間は外枠部２８によって仕切られ、ガイドレール５２ａおよび５２ｂ間は外枠部２９によって仕切られている。ガイドレール５１ａおよび５１ｂ，５２ａおよび５２ｂは、それぞれ引き戸の開閉方向へと溝状に延び、その断面は、凹形状をしている。ガイドレール５１ａおよび５１ｂには、それぞれ、引き戸１ａおよび１ｂの下端部７ａおよび７ｂが入り込み、ガイドレール５２ａおよび５２ｂには、それぞれ、引き戸１ａおよび１ｂの上端部８ａおよび８ｂが入り込む。これにより、引き戸１ａは、ガイドレール５１ａおよび５２ａに沿って、引き戸１ｂは、ガイドレール５１ｂおよび５２ｂに沿って、開閉操作ができるようになる。
【００１４】
図２および図３に示すように、引き戸１ａ本体の一方主面上の下端部近傍には、下端部７ａから見て同じ高さ位置に、例えば２個の（３個以上であっても良い）垂直ローラー２ａが回転自在に取り付けられる。この垂直ローラー２ａは、引き戸１ａがガイドレール５１ａおよび５２ａに取り付けられたとき、その回転面が垂直な状態になる。このとき、垂直ローラー２ａは、その外周がガイドレール５１ａの外枠６ａに当接することで、引き戸１ａを支持する。すなわち、垂直ローラー２ａの外周には、引き戸１ａの荷重がかかった状態になる。このとき、引き戸１ａの下端部７ａは、ガイドレール５１ａの底面９ａから浮いた状態になっており、その空隙には後述する水平ローラー１５ａが収納される。このような状態で、垂直ローラー２ａは、ガイドレール枠６ａ上を滑走する。これによって、引き戸１ａがガイドレール５１ａおよび５２ａに沿ってスライド可能となる。
【００１５】
上記のように、引き戸１ａのスライド機能は、主として垂直ローラー２ａによって達成される。この垂直ローラー２ａは、従来の引き戸における戸車のように引き戸本体内に収納されておらず、外部に露出している。そのため、取り付けが簡単で安価である。また、メンテナンス性に優れている。しかしながら、引き戸１ａに垂直ローラー２ａのみを設けた場合、引き戸１ａとガイドレール５１ａおよび５２ａとの間に隙間があるため横揺れが生じ、引き戸１ａががたつくことになる。
【００１６】
そこで、本実施形態では、横揺れを防止するためと、スライド性をさらに向上させるために、水平ローラー１５ａおよび１９ａが設けられる。すなわち、引き戸１ａの下端部７ａには、その中心線上に例えば２個の水平ローラー１５ａが回転自在に設けられる。また、引き戸１ａの上端部８ａには、その中心線上に例えば２個の水平ローラー１９ａが回転自在に設けられる。なお、水平ローラー１５ａおよび１９ａは、それぞれ３個以上設けられても良い。これら水平ローラー１５ａおよび１９ａは、引き戸１ａがガイドレール５１ａおよび５２ａに取り付けられたとき、その回転面が水平な状態になる。
【００１７】
水平ローラー１５ａおよび１９ａの直径は、引き戸１ａの厚みより僅かに大径で、ガイドレール５１ａおよび５２ａの溝幅より僅かに小径であり、ガイドレール溝内を回動できる寸法である。
【００１８】
引き戸１ａがガイドレール５１ａおよび５２ａに沿ってスライドするとき、水平ローラー１５ａおよび１９ａもガイドレール側面に接触して回転する。これによって、引き戸１ａのスライド性が向上する。また、水平ローラー１５ａおよび１９ａを設けることにより、引き戸１ａとガイドレール５１ａおよび５２ａの側面との間の実質的な隙間が小さくなり、がたつきが少なくなる。これによって、引き戸１ａの横揺れが防止される。
【００１９】
前述したように、垂直ローラー２ａは、引き戸１ａを支持しており、引き戸１ａの下端部７ａとガイドレール５１ａの底面９ａとの間には空隙が設けられる。水平ローラー１５ａは、この空隙内に収納される。このとき、水平ローラー１５ａの底面部は、ガイドレール５１ａの底面９ａと接することなく、摩擦抵抗によるスライド性の低下が防止されることとなる。また、同様の空隙は、引き戸１ａの上端部８ａとガイドレール５２ａの上面１０ａとの間にも設けられており、この空隙内に水平ローラー１９ａが収納される。このとき、水平ローラー１９ａの上面部は、ガイドレール５２ａの上面１０ａと接することなく、引き戸の開閉移動に伴う騒音や、引き戸並びに走行ガイドの損傷及び摩擦抵抗によるスライド性の低下が防止されることとなる。
【００２０】
以上、引き戸１ａの構造について説明したが、引き戸１ｂの構造についても同様である。すなわち、引き戸１ｂの本体の一方主面上の下端部近傍には、下端部７ｂから見て同じ高さ位置に、例えば２個の（３個以上であっても良い）垂直ローラー２ｂが回転自在に取り付けられる。この垂直ローラー２ｂは、中枠部２８上を滑走する。これによって、引き戸１ｂがガイドレール５１ｂおよび５２ｂに沿ってスライド可能となる。また、引き戸１ｂの下端部７ｂには、その中心線上に例えば２個の水平ローラー１５ｂが回転自在に設けられる。また、引き戸１ｂの上端部８ｂには、その中心線上に例えば２個の水平ローラー１９ｂが回転自在に設けられる。引き戸１ｂがガイドレール５１ｂおよび５２ｂに沿ってスライドするとき、水平ローラー１５ｂおよび１９ｂもガイドレール側面に接触して回転する。これによって、引き戸１ａのスライド性が向上する。
【００２１】
図４は、第１の実施形態に係る引き戸装置の別の使用形態を示す図である。図４に示すように、第１の実施形態に係る引き戸は、傾斜させても引き戸の両端は、ガイドレールに入り込むことができる。引き戸１ａ、１ｂが開閉移動する場合には、各ローラーは傾斜しながら滑動することとなり、引き戸は、ズレが生じているガイドレールに沿ってスライド可能となる。さらに、当該性能を利用して、容易に３枚式引き戸構造を２枚式引き戸構造に変更することができる。例えば、３本のガイド溝を備えるガイドレールに、第一の引き戸と第二の引き戸の寸法を、開口部を閉塞するに適した寸法にし、第一の引き戸を、当該ガイドレールの下枠の第１ガイドと上枠の第２ガイドに装着し、第二の引き戸を、下枠の第２ガイドと上枠の第３ガイドに装着することにより、引き戸の装着数を変更することができる。
【００２２】
（第２の実施形態）
図５は、第２の実施形態に係る引き戸装置の構成を示す側部断面図である。図６は、第２の実施形態に係る引き戸装置の構成を示す正面図である。
【００２３】
図５に示すように、第２の実施形態に係る引き戸装置は、第１の実施形態に係る引き戸装置と比べて、垂直ローラー１７ａ、１７ｂが追加設置されている。図６に示すように、引き戸１ａ本体の一方主面上の上端部近傍には、上端部８ａから見て同じ高さ位置に、例えば２個の（３個以上であっても良い）垂直ローラー１７ａが回転自在に取り付けられる。この垂直ローラー１７ａは、その外周がガイドレール５２ａの外枠６ｃに当接することで引き戸開閉時に回転する。そのため、引き戸１ａは、垂直ローラー２ａ、１７ａによって上下から支持されることとなり、引き戸は直立姿勢を保つようになる。引き戸の開閉移動時には、引き戸に横揺れが発生しない限り、引き戸上端部の水平ローラー１９ａ並びに下端部の水平ローラー１５ａと、ガイドレールとは接触することなく、引き戸１ａは、垂直ローラー２ａ、１７ａのみで開閉されることとなり、引き戸のスライド性が向上されるという効果を有している。なお、引き戸１ｂの構造についても引き戸１ａの構造と同様である。
【００２４】
また、垂直ローラー１７ａを配置させたことにより、引き戸１ａの垂直ローラー２ａ、１７ａの外周は、ガイドレール外枠に当接し、引き戸１ａは、上下方向への移動が規制されることとなる。引き戸の開閉時に、引き戸を開閉させる力によっては、引き戸の上部又は下部が先にガイドレール横枠に衝突する可能性を有する。その衝撃で引き戸１ａが浮き上がり、その着地の際に垂直ローラーに多大な負荷を掛ける場合がある。第２の実施形態は、この引き戸の跳ね上がりを防止することもできる。
【００２５】
（第３の実施形態）
図７は、第２の実施形態に係る引き戸装置の他の使用形態を示す図である。図７に示すように、本使用例では、引き戸１ａおよび１ｂは、水平状態で使用される。本使用例では、引き戸自体の荷重は、水平ローラー１５ａ、１５ｂ、１９ａ、１９ｂにより支えられることとなる。これに対し、垂直ローラー２a、２b、１７ａ、１７ｂは、引き戸の横揺れを規制するとともに、引き戸の落下をも防止している。
【００２６】
（第４の実施形態）
図８は、第４の実施形態に係る引き戸装置の閉状態時の上面図であり、図９は、第４の実施形態に係る引き戸装置の開状態時の上面図である。以下、図８および図９を参照して、第４の実施形態について説明する。
【００２７】
第４の実施形態の引き戸装置は、一例として３枚の引き戸１ａ、１ｂ、１ｃを備えている。各引き戸には、第１または第３の実施形態と同様の垂直ローラーおよび水平ローラーが設けられている。これら引き戸１ａ、１ｂ、１ｃは、隣接し平行する３本のガイドレールに滑走自在に装着され、ガイドレールに沿って開閉可能である。
【００２８】
第２の引き戸１ｂは、左右の側面に連結部３４、３５を有している。第１の引き戸１ａは、第２の引き戸１ｂと対向する面の一方端部近傍に突起部３３を有している。第３の引き戸１ｃは、第２の引き戸１ｂと対向する面の他方端部近傍に突起部３６を有している。
【００２９】
第１から第３の引き戸１ａ、１ｂ、１ｃの配列は、第２の引き戸１ｂが有する左右側面の連結部３４と３５の間に、第１の引き戸１ａが有する突出部３３が入り込むように組み合わされ、ガイドレールに装着される。第３の引き戸１ｃも同様に、第３の引き戸１ｃの突出部３６が連結部３４と３５の間に入り込むように組み合わされ、ガイドレールに装着される。
【００３０】
以上のような構成で、第３の実施形態に係る引き戸装置を使用するとき、図９に示すように、３枚の引き戸が開かれた状態から、閉塞する際の引き戸の連動動作は、第１の引き戸１ａが閉塞方向に向かうにつれ、突出部３３が、連結部３４へと移動する。突出部３３が連結部３４に到達すると、連結部３４は突出部３３に押されながら閉塞方向へ移動するに伴い第２の引き戸１ａが閉塞方向に向かう。第２の引き戸１ｂが閉塞方向に向かうにつれ、連結部３５が突出部３６へ向かうようになり、最終的には、図８の状態となる。引き戸を開く場合の連動は、上記の連結動作と逆のパターンとなる。
【００３１】
図面においては、３枚の引き戸の開閉操作連結装置を表わしているが、引き戸の枚数を増やすには、第２の引き戸１ｂと同形態の引き戸を第２の引き戸と並列するように設置する。新設された引き戸の配置は、新設される引き戸の一方の連結部を、隣接する引き戸の連結部の間に配置するように組み合わせることにより、連動する引き戸の枚数を増設させることができる。
【産業上の利用可能性】
【００３２】
本発明に係る引き戸装置は、ガイドレール上をスライドすることにより開閉可能な引き戸装置に関するものである。
【図面の簡単な説明】
【００３３】
【図１】第１の実施形態に係る引き戸装置の構成を示す側部断面図
【図２】第１の実施形態に係る引き戸装置の構成を示す正面図
【図３】第１の実施形態に係る引き戸をガイドレールに装着した状態を示す正面図
【図４】第１の実施形態に係る引き戸装置の別の使用形態を示す図
【図５】第２の実施形態に係る引き戸装置の構成を示す側部断面図
【図６】第２の実施形態に係る引き戸装置の構成を示す正面図
【図７】第３の実施形態に係る引き戸装置の別の使用形態を示す図
【図８】第４の実施形態に係る引き戸装置の閉状態時の上面図
【図９】第４の実施形態に係る引き戸装置の開状態の上面図
【符号の説明】
【００３４】
１ａ〜１ｃ                          引き戸
３８                                開口部
５１ａ、５１ｂ、５２ａ、５２ｂ      ガイドレール
６ａ〜６ｄ、２８、２９              外枠
２ａ、２ａ、１７ａ、１７ｃ          垂直ローラー
１５ａ、１５ｂ、１９ａ、１９ｂ      水平ローラー
３３、３６                          突出部
３４、３５                          連結部
【図１】
2008038391.tif 000003
【図２】
2008038391.tif 000004
【図３】
2008038391.tif 000005
【図４】
2008038391.tif 000006
【図５】
2008038391.tif 000007
【図６】
2008038391.tif 000008
【図７】
2008038391.tif 000009
【図８】
2008038391.tif 000010
【図９】
2008038391.tif 000011